(57)【要約】【課題】心地良さを覚えるような使用感に優れた吐出部材およびエアゾール製品を提供する。【解決手段】エアゾールバルブ２１に装着される本体部１１と、本体部１１に張られ、エアゾールバルブ２１から供給される発泡性内容物の圧力を受けて膨出する膜状部１２とを備えており、膜状部１２が、伸長率が２００〜５００％であり、外部と連通する微細な通路を有している。また、膜状部１２が多孔質材であって、気孔径が３０〜６００μｍである。【選択図】図１
2018193080.tif 000002
【特許請求の範囲】
【請求項１】
エアゾールバルブに装着される本体部と、
本体部に張られ、エアゾールバルブから供給される発泡性内容物の圧力を受けて膨出する膜状部とを備えており、
膜状部は、伸長率が２００〜５００％であり、外部と連通する微細な通路を有している、
発泡性内容物用の吐出部材。
【請求項２】
膜状部が多孔質材であって、気孔径が３０〜６００μｍである、
請求項１記載の発泡性内容物用の吐出部材。
【請求項３】
所定量の発泡性内容物を吐出する定量吐出機構を備える、
請求項１または２記載の発泡性内容物用の吐出部材。
【請求項４】
膜状部の内面又は内部の一部に発泡性内容物の通過を阻害する阻害手段を有する、
請求項１〜３のいずれかに記載の発泡性内容物用の吐出部材。
【請求項５】
請求項１〜４のいずれかに記載の吐出部材と、吐出部材を装着したエアゾール容器と、そのエアゾール容器に充填された、吐出後に泡を形成する発泡性内容物とからなるエアゾール製品。
【発明の詳細な説明】
【技術分野】
【０００１】
本発明は、発泡性内容物が充填されたエアゾール容器に取り付けられる吐出部材に関し、特に洗顔に適した吐出部材に関する。
【背景技術】
【０００２】
特許文献１には、スポンジ状の塗布部材を備えたエアゾール製品が開示されている。このエアゾール製品は、エアゾール容器から吐出された薬液が、比較的肉厚な発泡体からなる塗布部材に含浸されるように構成されており、薬液の飛散を抑制しつつ、患部に薬液を確実に塗布できるようになっている。
【先行技術文献】
【特許文献】
【０００３】
【特許文献１】特許第５０９１４２９号
【発明の概要】
【発明が解決しようとする課題】
【０００４】
ところで特許文献１では、塗布部材を患部に押し当てて使用するが、その際、患部には塗布部材の硬さが直接肌に伝わるため、特に肌の薄い部分では必ずしも使い心地が良いとはいえなかった。なお、特許文献１の図１ａ等には、肌に直接触れる表面側に軟質材を用いることも開示されてはいるが、特許文献１はあくまで薬液の塗布を第一の目的とするものであるため、素材選定における使用感は二の次であり、心地良さを覚えるような使用感を得るには改良の余地がある。
【０００５】
本発明は、心地良さを覚えるような使用感に優れた吐出部材およびエアゾール製品の提供を目的とする。
【課題を解決するための手段】
【０００６】
本発明の発泡性内容物用の吐出部材１０、１０Ａ、１０Ｂは、エアゾールバルブ２１に装着される本体部１１、１１Ａと、本体部１１、１１Ａに張られ、エアゾールバルブ２１から供給される発泡性内容物の圧力を受けて膨出する膜状部１２とを備えており、膜状部１２は、伸長率が２００〜５００％であり、外部と連通する微細な通路を有している。なお、本願において『張る』には、弛み無く取り付けた状態の他、ある程度弛みを持たせて取り付けた状態が含まれる。すなわち、膜状部の内面方向に引張力が作用している状態の他、引張力が作用していない状態も含まれる。また、膜状部１２の伸長率はＪＩＳ−Ｋ６２５１に基づき、膜状部１２でダンベル状試験片（３号）を作製し、引張り試験装置を用いて試験片の両端を規定速度（５００ｍｍ／分）で破断するまで引っ張り、破断時の伸び率を測定することにより求められる。
【０００７】
上記吐出部材１０、１０Ａ、１０Ｂでは、膜状部１２が多孔質材であって、気孔径が３０〜６００μｍであることが好ましい。
【０００８】
所定量の発泡性内容物を吐出する定量吐出機構１５を備えていても良い。さらに、膜状部１２の内面又は内部の一部に発泡性内容物の通過を阻害する阻害手段１６を有していても良い。
【０００９】
本発明のエアゾール製品１、１Ａ、１Ｂは、上記いずれかに記載の吐出部材１０、１０Ａ、１０Ｂと、吐出部材１０、１０Ａ、１０Ｂを装着したエアゾール容器２０と、そのエアゾール容器２０に充填された、吐出後に泡を形成する発泡性内容物とからなる。
【発明の効果】
【００１０】
本発明の吐出部材では、膜状部が特定の伸長率を有するため、エアゾール容器から吐出された発泡性内容物の圧力を受けて膨出する。そして膨出した膜状部の内側には、発泡性内容物が発泡してなる泡が充満するため、膜状部を肌に押し当てると泡の弾力を感じることができる。すなわち、膜状部を泡によって下支えしたような状態となっているため、泡からの適度な弾力を受けることとなり、心地良い使用感を得られるのである。また、膜状部が膨出して泡で満たされると、外部と連通する微細な通路が広がって（大きくなって）泡を通過させやすくなり、泡を膜状部の外側に吐出させることができ、泡を直接肌に触れさせることもできる。
【００１１】
膜状部が多孔質材であって、気孔径が３０〜６００μｍであれば、膜状部内で発泡性内容物を発泡させて保持しやすく、膜状部内の泡の弾力が得られやすい。また、膨出限界（伸長限界）を超える前に泡を外部に吐出することができ、発泡性内容物を吐出しすぎても膜状部の破れを防止できる。
【００１２】
所定量の発泡性内容物を吐出する定量吐出機構を備えていれば、膜状部の膨らみ具合が一定となり、使い心地が安定する。また、膜状部の破れを抑制することができる。
【００１３】
膜状部の内面又は内部の一部に発泡性内容物の通過を阻害する阻害手段を有していれば、阻害手段を設けた部分での泡の吐出が制限されるため、膜状部から吐出された泡に模様を描いたり、泡の形を制御することができる。また、阻害手段を膜状部の表面に設けていないため、阻害手段に肌が直接触れることは無く、使用に際して違和感を覚え難い。
【図面の簡単な説明】
【００１４】
【図１】図１ａは本発明の吐出部材の一実施形態をエアゾール容器に取り付けた状態を示す断面図、図１ｂは膜状部が泡により膨出している状態を示す断面図であり、図１ｃは膜状部から泡を吐出させた状態を示す断面図である。
【図２】図２ａは定量吐出機構を備えた吐出部材をエアゾール容器に取り付けた状態を示す断面図、図２ｂは定量吐出機構を機能させた状態を示す断面図である。
【図３】図３ａは膜状部に阻害手段を設けた吐出部材をエアゾール容器に取り付けた状態を示す断面図、図３ｂは内容物を膜状部の外部に吐出させた状態を示す断面図である。
【発明を実施するための形態】
【００１５】
本発明の吐出部材１０は、発泡性内容物を充填したエアゾール容器２０に装着して使用するものであって、図１ａに示すように、エアゾール容器２０のエアゾールバルブ２１に装着される本体部１１と、本体部１１に張られる膜状部１２と、膜状部１２を本体部１１に固定する固定部材１３とを備えている。以下、各構成部材について詳細に説明する。
【００１６】
本体部１１は、エアゾールバルブ２１のステム２１ａに外嵌・装着するための円筒状の装着部１１ａと、装着部１１ａの上端から径外方向に延びる円板部１１ｂと、円板部１１ｂの外縁から下方に延びるスカート部１１ｃとを備えている。装着部１１ａ内の内部通路１１ｄは円板部１１ｂの上面で開口している。円板部１１ｂの上面は内部通路１１ｄが開口している他は、平滑な面である。スカート部１１ｃには、本体部１１に外嵌する固定部材１３の下方への過度の入り込みを規制する段部１１ｅが設けられている。
【００１７】
膜状部１２は、連続気泡を有するスポンジ又は布（織布、不織布）など、柔軟性のある多孔質材からなり、微細な通路が全体に亘って多数設けられている。膜状部１２の形状は、本体部１１の円板部１１ｂに合わせて円板状とされている。そして図１ａに示すように、本体部１１の円板部１１ｂの上面に被さっている。膜状部１２は外周のみが本体部１１に対して固定されており、それよりも内周側は単に本体部１１と重なり合っているだけである。すなわち、本体部１１の円板部１１ｂの上面に張られた状態である。また、膜状部１２は伸縮性に富み、且つ通気性や通液性を有するものの、膨出が不充分な状態では微細な通路の流路抵抗が大きく、発泡済みの発泡性内容物（泡）はほとんど通過できない。そのため、エアゾール容器２０から発泡性内容物を吐出させると、その圧力によって風船が膨らむようにして膨出し、本体部１１の円板部１１ｂとの間に、未発泡や発泡済みの発泡性内容物を一時的に貯留する貯留室Ｐが形成される（図１ｂ参照）。この際、膜状部１２は主に面内方向に伸びることになるが、これにより、微細な通路が広がって流路抵抗が小さくなる。具体的には、微細な通路を構成する内部の微細な気泡が互いに連通したり、気孔径が大きくなったり、繊維間の隙間同士が連通したり、隙間が拡がったりし、発泡済みの発泡性内容物（泡）を通過させやすくなるのである。なお、伸長率が所定の値を超えたとき、はじめて泡の通過を許容するように、微細な通路の大きさを定めていても良い。
【００１８】
膜状部１２の材質としては、例えばポリウレタン、ポリエチレンやポリプロピレンなどのポリオレフィンなどの合成樹脂やゴム（ニトリルゴムなどの合成ゴム、天然ゴム）が想定される。但し、スポンジ状または布に加工した際に以下の（１）〜（５）のうち、少なくとも（１）を満たすものであれば、特に限定されない。
（１）伸長率が２００〜５００％、好ましくは３００〜５００％。
（２）気孔径が３０〜６００μｍ、好ましくは３０〜３００μｍ（非伸長時）。
（３）厚みが０．５〜５ｍｍ、好ましくは１〜３ｍｍ。なお複数枚を重ねて所定の厚みにしても良い。
（４）撥水性を有する。
（５）貯留室Ｐの圧力が一定以上（例えば貯留室Ｐ内の圧力が０．３ＭＰａ以上）となった段階で発泡性内容物（泡）を外部へと通過させるというもの、いわゆる加圧下通液性を備えるもの。
【００１９】
固定部材１３は、円筒部１３ａと、円筒部１３ａの上端から内向きに延びる内向きフランジ部１３ｂとを有している。この固定部材１３は、本体部１１の円板部１１ｂの上面に膜状部１２を載置した状態において、固定部材１３の円筒部１３ａを、本体部１１のスカート部１１ｃに外嵌させることで、本体部１１の円板部１１ｂの上面と、固定部材１３の内向きフランジ部１３ｂの下面とで膜状部１２の外周を挟み込み、膜状部１２を本体部１１に固定している。内向きフランジ部１３ｂの内周側は円形に開口しており、膜状部１２はこの開口から外部に面している。なお、本体部１１への膜状部１２の固定に際しては、接着剤等を用いても良い。この場合、固定部材１３を省略しても良い。
【００２０】
エアゾール容器２０は、アルミなどの金属や合成樹脂からなる有底筒状の容器本体にエアゾールバルブ２１を取り付けたものであり、内部に、原液と液化ガスとからなる発泡性内容物が充填されている。なお、図１ａにおいて１４は、肩カバーである。エアゾールバルブ２１の詳細については図示していないが、例えばステム２１ａと、ステム２１ａのステム孔を塞ぐステムラバーと、ステム２１ａを上方へ付勢する弾性体、これらを内包するハウジングとからなる一般的なエアゾールバルブを用いることができる。但し、これに限られるものではなく、公知の種々のエアゾールバルブを使用可能である。
【００２１】
発泡性内容物としては、界面活性剤を含有した原液と液化ガスとからなるものが挙げられる。前記界面活性剤は、発泡性内容物が吐出されたときに液化ガスの気化により泡を形成する、化粧を洗い流す洗浄成分などの目的で用いられる。
【００２２】
界面活性剤としては、非イオン性界面活性剤、両性界面活性剤、シリコーン系界面活性剤、アミノ酸系界面活性剤等が挙げられる。
非イオン性界面活性剤としては、ポリオキシエチレンソルビタン脂肪酸エステル、ポリグリセリン脂肪酸エステル、ポリオキシエチレングリセリン脂肪酸エステル、ポリオキシエチレンポリオキシプロピレンアルキルエーテル、ポリオキシエチレンアルキルエーテル、ポリオキシエチレン脂肪酸エステル、ポリオキシエチレン硬化ヒマシ油、ポリオキシエチレンアルキルエーテル脂肪酸エステルなどが挙げられる。両性界面活性剤としては、ラウリン酸アミドプロピルベタインなどが挙げられ、シリコーン系界面活性剤としては、ポリオキシエチレン・メチルポリシロキサン共重合体、ポリオキシプロピレン・メチルポリシロキサン共重合体、ポリ（オキシエチレン・オキシプロピレン）・メチルポリシロキサン共重合体などが挙げられ、アミノ酸型界面活性剤としては、ラウロイルメチルアラニンナトリウムなどが挙げられる。
【００２３】
溶媒は、界面活性剤や有効成分などを含有し、界面活性剤と液化ガスにより発泡して泡の液膜を形成する。前記溶媒としては、水やアルコールなどの水性溶媒、エステル油や油脂などの油性溶媒が挙げられる。水としては、精製水、イオン交換水などが挙げられ、アルコールとしては、エタノール、イソプロパノールなどが挙げられる。エステル油としては、トリ（カプリル酸／カプリン酸）グリセリルなどが挙げられ、油脂としては、オリーブ油、ホホバ油などが挙げられる。
【００２４】
前記有効成分は泡から蒸散して効果を発揮するもの、皮膚や頭髪など、人体に泡を塗布して効果を発揮するものなどが挙げられる。
有効成分としては、香料などの芳香成分、消臭成分、殺菌成分、洗浄成分、保湿成分、紫外線吸収剤などの日焼け防止成分などが挙げられる。
【００２５】
原液には、泡の弾力などを調整し、泡の保形性を良くするなどの目的で、ミリスチン酸などの高級脂肪酸、セタノールなどの高級アルコール、ゼラチン、ヒドロキシエチルセルロース、ヒドロキシプロピルデンプンリン酸などの水溶性高分子などを添加してもよい。
【００２６】
前記液化ガスはエアゾール容器２０内では蒸気圧を有する液体であり、エアゾールバルブ２１が開放されて本体部１１から供給される内容物中に含まれ、貯留室Ｐ内で膨張し泡を形成する。
液化ガスとしては、プロパン、ノルマルブタン、イソブタンおよびこれらの混合物である液化石油ガス、ジメチルエーテル、ハイドロフルオロオレフィン、およびこれらの混合物などが挙げられる。なお、液化ガスは２５℃での圧力が０．３〜０．６ＭＰａ（ゲージ圧）であるものを用いることが好ましく、０．３５〜０．５５ＭＰａ（ゲージ圧）であるものを用いることがさらに好ましい。液化ガスの圧力が０．３ＭＰａよりも低い場合は膜状部１２の膨出が小さく、泡の弾力が感じられにくくなり、また、膜状部１２から泡を吐出しにくくなる。一方０．６ＭＰａを超えると膜状部１２が破れやすくなる。
【００２７】
発泡性内容物は、原液が７０〜９８質量％であり、液化ガスが２〜３０質量％、さらには、原液が８０〜９７質量％であり、液化ガスが３〜２０質量％であるものが好ましい。液化ガスが２質量％より少ないと、膜状部１２の膨出が不充分になり、膜状部１２を通過しにくくなり、液化ガスが３０質量％より大きいと、泡の密度が小さくなり泡からの弾力が感じられにくく、膜状部１２を通過するときに泡が崩れやすくなる。なお、吐出時に膜状部１２の膨出の程度を調整する、膜状部１２を通過する速さを調整して泡の高さ（立体性）や強度を調整する、などの目的で炭酸ガス、亜酸化窒素、窒素等の圧縮ガスを配合してもよい。
【００２８】
特に膜状部１２を通過しても崩れ難く、もっちりとした泡質になるものが好ましい。このような泡質になる発泡性内容物としては、たとえば、アニオン性界面活性剤、カチオン性成分、多価アルコールおよび水を含有する水性原液、液化ガス、ならびに圧縮ガスとからなるものが挙げられる。
【００２９】
前記アニオン性界面活性剤としては、ラウリルリン酸カリウム、ラウリルリン酸ナトリウムなどのアルキルリン酸塩、ＰＯＥラウリルエーテルリン酸ナトリウムなどのポリオキシエチレンアルキルエーテルリン酸塩、ラウリル硫酸アンモニウム、ラウリル硫酸カリウムなどのアルキル硫酸塩、ＰＯＥラウリルエーテル硫酸ナトリウム、ＰＯＥラウリルエーテル硫酸トリエタノールアミンなどのポリオキシエチレンアルキルエーテル硫酸塩、ＰＯＥラウリルエーテル酢酸カリウムなどのアルキルエーテルカルボン酸塩、ラウリルスルホン酢酸ナトリウムなどのスルホン酸塩などが挙げられ、その含有量は、水性原液中０．１〜２０質量％であることが好ましく、さらには０．５〜１５質量％であることが好ましい。
【００３０】
前記カチオン性成分としては、例えばヒドロキシエチルセルロースジメチルジアリルアンモニウムクロリド（ポリクオタニウム４）、塩化ジメチルジアクリルアンモニウム・アクリルアミド共重合体（ポリオクタニウム７）、塩化−Ｏ−[２−ヒドロキシ−３−（トリメチルアンモニオ）プロピル]ヒドロキシエチルセルロース（ポリクオタニウム１０）、塩化ジメチルジアリルアンモニウム・アクリル酸共重合体（ポリクオタニウム２２）、塩化−Ｏ−［２−ヒドロキシ−３−（ラウリルジメチルアンモニオ）プロピル］ヒドロキシエチルセルロース（ポリオクタニウム２４）、アクリルアミド・アクリル酸・塩化ジメチルジアリルアンモニウム共重合体（ポリクオタニウム３９）、２−メタクリロイルオキシエチルホスホリルコリン・メタクリル酸ブチル共重合体液（ポリクオタニウム５１）、Ｎ，Ｎ−ジメチルアミノエチルメタクリル酸ジエチル硫酸塩・Ｎ，Ｎ−ジメチルアクリルアミド・ジメタクリル酸ポリエチレングリコール（ポリクオタニウム５２）、２−メタクリロイルオキシエチルホスホリルコリン・メタクリル酸ステアリル共重合体（ポリクオタニウム６１）、メタクリロイルオキシエチレンホスホリルコリン、メタクリル酸ブチル及びメタクリル酸ナトリウム（ポリクオタニウム６５）などが挙げられ、その含有量は、水性原液中０．１〜１５質量％であることが好ましく、さらには０．５〜１０質量％であることが好ましい。
【００３１】
多価アルコールとして、２〜４価アルコールおよび／または単糖類が挙げられる。
２〜４価アルコールとしては、プロピレングリコール、１，３−ブチレングリコール、ヘキシレングリコール、グリセリン、ジプロピレングリコール、ジグリセリンなどが挙げられ、その含有量は、水性原液中１〜３０質量％であることが好ましく、さらには３〜２５質量％であることが好ましい。
単糖類としては、エリスリトール、マルチトール、ソルビトール、キシリトールなどが挙げられ、その含有量は、水性原液中１〜３０質量％であることが好ましく、さらには３〜２５質量％であることが好ましい。
【００３２】
上記の発泡性内容物を充填したエアゾール容器２０に、吐出部材１０を装着することでエアゾール製品１となる。エアゾール製品１の使用にあたっては、本体部１１を押し下げ、エアゾールバルブ２１を開放し、ステム２１ａから発泡性内容物を吐出させる。吐出された発泡性内容物は本体部１１の内部通路１１ｄを経て、円板部１１ｂと膜状部１２との間に流れ込む。膜状部１２は発泡性内容物中に含まれる液化ガスの気化に伴う発泡圧を受けて上方に膨出する（図１ｂ）。この際、泡は外部に全く吐出されないか、僅かに吐出される程度である。膨出がある程度進むと、伸長に伴って広がった微細な通路を通じて泡が外部へと吐出される（図１ｃ）。この状態で、膜状部１２を肌に押し当てるようにして使用する。この際、膜状部１２の表面にある泡Ｂ１は、押し付けによってほとんど抵抗無く外側へ流れていくため、泡自体の弾力を感じることができない。しかし、膜状部１２内の泡Ｂ２は移動が制限されているため、適度な弾力を肌に与えることとなる。ただ、膜状部１２内の泡Ｂ２もある程度、外からの圧力によって移動する（膜状部１２の内側内を移動する、膜状部１２から吐出される）ため、肌に過度な力を与えることもない。そのため、膜状部１２のみでは発揮できない独特の感触、例えば赤ちゃんの頬のような非常にやわらかい感触となり、心地良い使用感が得られる。そのため、皮膚の薄い部分への使用に適しており、例えば洗顔用の吐出部材（エアゾール製品）として使用すれば、手やブラシよりもやさしく洗うことができる。
【００３３】
図２は、１回の吐出操作での発泡性内容物の吐出量を一定に保つための定量吐出機構１５を備えた吐出部材１０Ａを示している。この吐出部材１０Ａでは、定量吐出機構１５を形成するために、本体部１１Ａが装着部１１ａ側と円板部１１ｂ側とに二分されている。装着部１１ａ側には、内部通路１１ｄを拡径してなる拡径部１５ａが設けられている。拡径部１５ａ内には、円板部１１ｂを上方に付勢するための弾性体１５ｂ（コイルバネ）が設けられている。円板部１１ｂ側には、拡径部１５ａに摺動可能に嵌合する摺動筒部１５ｃが設けられている。また、拡径部１５ａの上面と対向する位置に上下方向に貫通する泡通路１５ｄが形成されている。
【００３４】
上記構成の定量吐出機構１５は以下のようにして機能する。まず、図２ｂに示すように、円板部１１ｂを下に押し下げると、泡通路１５ｄが拡径部１５ａの上面によって塞がれ、拡径部１５ａの内面と円板部１１ｂの下面との間に定量室Ｑが形成される。さらに円板部１１ｂを押し下げると、エアゾールバルブ２１が開放し、ステム２１ａから発泡性内容物が吐出され、定量室Ｑ内に流れ込む。定量室Ｑ内が発泡性内容物によって満たされ、定量室Ｑ内の圧力とエアゾール容器２０内の圧力が等しくなると、ステム２１ａからの発泡性内容物の供給が止まる。この状態で、円板部１１ｂの押し付けを止めると、弾性体１５ｂや発泡性内容物の圧力によって円板部１１ｂが上方へ摺動し、泡通路１５ｄが開放する。発泡性内容物は泡通路１５ｄを通じて、円板部１１ｂの上面側へと流れ込み、図２ａの一点鎖線で示すように、膜状部１２を膨出させるが、流れ込む発泡性内容物の量がほぼ一定であるため、膜状部１２の張り具合（膨らみ具合）がほぼ一定となり、肌に押し付けたときの心地良い感覚を安定して得られるようになる。また、発泡性内容物を吐出させ過ぎて、膜状部１２を破ってしまうといった失敗を抑制できる。他の構成については、上記の吐出部材１０と同様であることから、同符号を付し、具体的な説明は省略する。
【００３５】
図３ａ、ｂは、膜状部１２の内部の一部に発泡性内容物の通過を阻害する阻害手段（阻害層）１６を設けた吐出部材１０Ｂを示している。具体的には、２枚の膜状部１２を設け、膜状部１２、１２同士を一部接着剤で接着することで膜状部１２、１２間に接着層を形成し、この接着層で発泡性内容物（泡）の通過を阻害しているのである。このようにすれば、接着層を設けた部分は泡が吐出されないため、膜状部１２の表面に泡のない部分Ｂ３を作り出すことができ、膜状部１２の表面に模様を描くことができる。なお、接着剤は、膜状部１２の内側に塗布しても良い。この場合、膜状部１２の内面に阻害層１６が形成されることとなるが、同様の作用効果を奏する。また、接着層を形成する程度に厚塗りをする必要はない。例えば接着剤を塗布した後にふき取ることで、泡を吐出させるための通路のみを接着剤で塞ぐようにしても良い。また、粒状物で通路を塞いでも良い。また、定量吐出機構１５と組み合わせれば、膜状部１２の表面に吐出される泡Ｂ１の量を適量にすることができ、模様を安定して形成することができる。すなわち、膜状部１２の表面に吐出される泡Ｂ１が少なければ、阻害層１６以外の部分でも泡が吐出されず、吐出される泡Ｂ１が多ければ、模様が埋もれてしまいはっきりしなくなるといった不具合を生じるが、そのような不具合の発生を抑制することができる。他の構成については、上記の吐出部材１０と同様であることから、同符号を付し、具体的な説明は省略する。
【００３６】
以上に、この発明の代表的な実施形態について説明したが、この発明は上記実施形態に限定されるものではなく、この発明の範囲内で種々変更して実施することが可能である。
【００３７】
［実施例１］
膜状部として、直径３０ｍｍ、厚さ２ｍｍ、伸長率４００％、気孔径３０〜２００μｍであるポリウレタンを用い、図１に示す本体部に、固定部材で膜状部の外周部を固定した吐出部材を製造した。
発泡性内容物として、下記の原液９６ｇと液化石油ガス（２５℃における圧力が０．４ＭＰａ）４ｇを充填し、さらに炭酸ガスを充填して０．５ＭＰａに調整したエアゾール容器に吐出部材１を取り付け、エアゾール製品を製造した。
［原液］
ラウリルリン酸水溶液（＊１）                            ２５．０
ポリクオタニウム５２（＊２）                              １．０
ポリオキシエチレンソルビタントリイソステアレート（＊３）  ０．５
コカミドプロピルベタイン水溶液（＊４）                    ３．０
ソルビトール                                            １０．０
ジプロピレングリコール                                  １０．０
ジグリセリン                                              ２．５
メチルパラベン                                            ０．１
精製水                                                  ４７．９      
合計                                                  １００．０質量％
＊１：プライオリーＢ−３００Ｄ（商品名）、花王株式会社製
＊２：ソフケアＫＧ−３０１Ｗ（商品名）、花王株式会社製
＊３：レオドールＴＷ−ＩＳ３９９Ｃ（商品名）、花王株式会社製
＊４：レボン２０００ＨＧ（商品名）、三洋化成工業株式会社製
【００３８】
２５℃の恒温水槽に１時間浸漬したエアゾール製品から発泡性内容物１ｇを吐出すると、図１ｂのように膜状部が大きく膨出し、さらに、図１ｃのように膜状部から泡が吐出された。頬に泡（吐出部材）を押し当て、円を描くように動かすと、頬に泡を塗り拡げると共に膜状部からプニプニとした感触が得られた。
【００３９】
［実施例２］
膜状部として、直径３０ｍｍ、厚さ１．２ｍｍ、伸長率４００％、気孔径３０〜２００μｍであるポリウレタンを用いたこと以外は、実施例１と同様にしてエアゾール製品を製造した。
２５℃の恒温水槽に１時間浸漬したエアゾール製品から発泡性内容物１ｇを吐出すると、実施例１と同様に、図１ｂのように膜状部が大きく膨出し、さらに、図１ｃのように膜状部から泡が吐出された。頬に泡（吐出部材）を押し当て、円を描くように動かすと、頬に泡を塗り拡げると共に膜状部からプニプニとした感触が得られた。
【００４０】
［実施例３］
膜状部として、直径３０ｍｍ、厚さ１．５ｍｍ、伸長率２５０％、気孔径５０〜２００μｍであるポリウレタンを用いたこと以外は、実施例１と同様にしてエアゾール製品を製造した。
２５℃の恒温水槽に１時間浸漬したエアゾール製品から発泡性内容物１ｇを吐出すると、実施例１と同様に、図１ｂのように膜状部が大きく膨出し、さらに、図１ｃのように膜状部から泡が吐出された。頬に泡（吐出部材）を押し当て、円を描くように動かすと、頬に泡を塗り拡げると共に膜状部からプニプニとした感触が得られた。
【００４１】
［比較例１］
膜状部として、直径３０ｍｍ、厚さ２ｍｍ、伸長率１８０％、気孔径５０〜４００μｍであるポリウレタンを用いたこと以外は実施例１と同様にして吐出部材を製造した。吐出部材を実施例１と同じエアゾール容器に取り付け、エアゾール製品を製造した。
２５℃の恒温水槽に１時間浸漬したエアゾール製品から発泡性内容物１ｇを吐出すると、膜状部が大きく膨出することなく膜状部から泡が吐出された。頬に泡（吐出部材）を押し当て、円を描くように動かすと、頬に泡を塗り拡げたが膜状部からプニプニとした感触が得られず、硬く感じた。
【符号の説明】
【００４２】
１、１Ａ、１Ｂ  エアゾール製品
１０、１０Ａ、１０Ｂ  吐出部材
１１、１１Ａ  本体部
１１ａ  装着部
１１ｂ  円板部
１１ｃ  スカート部
１１ｄ  内部通路
１１ｅ  段部
１２  膜状部
１３  固定部材
１３ａ  円筒部
１３ｂ  内向きフランジ部
１４  肩カバー
１５  定量吐出機構
１５ａ  拡径部
１５ｂ  弾性体
１５ｃ  摺動筒部
１５ｄ  泡通路
１６  阻害手段（阻害層）
２０  エアゾール容器
２１  エアゾールバルブ
２１ａ  ステム
Ｐ  貯留室
Ｑ  定量室
Ｂ１  膜状部の表面の泡
Ｂ２  膜状部の内側の泡
Ｂ３  泡のない部分
【図１】
2018193080.tif 000003
【図２】
2018193080.tif 000004
【図３】
2018193080.tif 000005